(57)【要約】【課題】  キャップの戻しトルク値が高くなるのを防止した、キャップの締付け防止付チューブ容器【解決手段】チューブ容器の口部に嵌合される中栓体と、該中栓体に螺合されるキャップとから成るチューブ容器であり、該中栓体の天面には凹所が形成され、キャップの締付け時に、前記凹所と嵌合する凸部が、キャップの天面下部に形成されていることを特徴とすることをキャップ締付け防止付チューブ容器。【選択図】  図１
2007015734.tif 000002
【特許請求の範囲】
【請求項１】
チューブ容器の口部に嵌合される中栓体と、該中栓体に螺合されるキャップとから成るチューブ容器であり、該中栓体の天面には凹所が形成され、キャップの締付け時に、前記凹所と嵌合する凸部が、キャップの天面下部に形成されていることを特徴とすることをキャップ締付け防止付チューブ容器。
【請求項２】
チューブ容器の口部に、キャップが螺合されるチューブ容器であり、該口部の天面には凹所が形成され、キャップの締付け時に、前記凹所と嵌合する凸部が、キャップの天面下部に形成されていることを特徴とすることをキャップ締付け防止付チューブ容器。
【請求項３】
中栓体の天面又は口部の天面の凹所に代えて凸部が形成され、キャップの天面下部の凸部に代えて凹所が形成されたことを特徴とする請求項１又は２記載のキャップ締付け防止付チューブ容器。
【請求項４】
前記凹所及び凸部が嵌合し、ラチェット形式の嵌合構造を呈することを特徴とする請求項１〜３記載のキャップ締付け防止付チューブ容器。
【発明の詳細な説明】
【技術分野】
【０００１】
この発明はキャップの締付け防止付チューブ容器に関する。
【背景技術】
【０００２】
従来のチューブ容器とキャップの嵌合・螺合構造として、種々の嵌合・螺合構造のものがある。例えば、図８において、５０は染毛剤５１を充填したアルミニウム等のチューブ容器である。このアルミニウム等のチューブ容器５０の口部５２の雄ねじ５３には、針付キャップ５４が螺合されている。このような従来のチューブ容器に関しては文献１がある。
【特許文献１】実開平５−２６８４７号公報
【発明の開示】
【発明が解決しようとする課題】
【０００３】
しかし、上記のアルミニウム等のチューブ容器５０は、キャップ５４を締めすぎた場合や、キャップ５４を螺合した後に、口部５２の雄ねじ５３に付着していた内容物が固形化した場合等においては、キャップ５４の螺合を解除して口部５２を開口する際、キャップ５４の戻しトルク値が異常に高くなるという欠点がある。この場合、無理にキャップ５４を回転すると、チューブ容器５０の本体が変形したり、キャップ５４の回転が不可能になるという問題があった。特に子供、老人等の力の弱い者は、キャップ５４を開けることができないという欠点があった。
この発明は、このような従来の課題に着目してなされたもので、キャップの締めすぎを防止することにより、キャップの戻しトルク値が高くなるのを防止した、キャップの締付け防止付チューブ容器を提供することを目的とする。
【課題を解決するための手段】
【０００４】
請求項１記載の発明の解決手段は、チューブ容器の口部に嵌合される中栓体と、この中栓体に螺合されるキャップとから成るチューブ容器であり、中栓体の天面には凹所が形成され、キャップの締付け時に、凹所と嵌合する凸部が、キャップの天面下部に形成されていることを特徴とすることをキャップ締付け防止付チューブ容器である。請求項１記載の発明は、キャップと中栓体の間の締め付けトルク値が高くなるのを防止したものであり、この凹部と凸部の嵌合構造により、キャップに対して、締め過ぎの回転トルクが働いても、キャップがそれ以上に回転しない。したがって、中栓体への締め過ぎが防止される。
【０００５】
請求項２記載の発明の解決手段は、チューブ容器の口部に、キャップが螺合されるチューブ容器であり、この口部の天面には凹所が形成され、キャップの締付け時に、凹所と嵌合する凸部が、キャップの天面下部に形成されていることを特徴とすることをキャップ締付け防止付チューブ容器である。請求項２記載の発明は、キャップとチューブ容器口部の間の締め付けトルク値が高くなるのを防止したものであり、同様に、この凹部と凸部の嵌合構造により、キャップに対して、締め過ぎの回転トルクが働いても、キャップがそれ以上に回転しない。したがって、口部への締め過ぎが防止される。
【０００６】
請求項３記載の発明の解決手段は、中栓体の天面又は口部の天面の凹所に代えて凸部が形成され、キャップの天面下部の凸部に代えて凹所が形成されたことを特徴とするキャップ締付け防止付チューブ容器である。請求項２記載の発明は、凹部と凸部の形成が逆になった場合であり、上記と同様の作用を呈する。
【０００７】
請求項４記載の発明の解決手段は、凹所及び凸部が嵌合し、ラチェット形式の嵌合構造を呈することを特徴とするキャップ締付け防止付チューブ容器である。ねじを緩む方向の回転は、凹部と凸部が嵌合しないので、双方フリーに回転する。ねじを締める方向の回転に対しては、凹部と凸部が嵌合する。したがって、一方が固定されることにより、他方の回転が阻止される。よって、キャップを締め付けても、それ以上キャップが締め付ける方向には回転しない。
【発明の効果】
【０００８】
この発明によれば、締め過ぎの回転トルクが働いても、キャップがそれ以上に回転しないので、中栓体への締め過ぎが防止される効果を有する。したがって、キャップの戻しトルク値が高くなるのを防止することができるので、容易にキャップを開けることができる。特に、内容物がねじ部に、固形化した場合に効果を有する。
【発明を実施するための最良の形態】
【０００９】
以下、本発明の実施例を図面に基づいて説明する。
【実施例１】
【００１０】
図１、図３、図４、図５及び図６は、この発明に係る実施例１を示す図面である。実施例１において、１は閉鎖膜６を有するアルミニウム等で造られたチューブ容器であり、このチューブ容器１の口部２には、中栓体３が嵌合されている。この中栓体３の外周には雄ねじ４が形成され、この雄ねじ４には、針付キャップ５が螺合されている。針付キャップ５の雌ねじを中栓体３の雄ねじ４に螺合して締めることにより、中栓体３の上方に突出した中栓口部３ａ内に、キャップ５の天面９から垂下された係合突起７ａが嵌入され、開口部が閉鎖される。内容物を抽出する場合は、キャップ５と中栓体３の螺合を外し、キャップ５の針体７で、閉鎖膜６を穿孔することにより内容物を抽出することができる。
【００１１】
図３（ａ）は、中栓体３の平面図を示した図面である。図３（ｂ）に示すように、中栓体３の天面には、３６０°円周方向に凹所８が形成されている。この凹所８の反時計回りの端面図を図５に示す。図５において、端面図Ａ１における部位は、深さＳの溝８ａが形成され、端面図Ａ２、Ａ３に移るに連れて、除々に溝の傾斜面８ｂは上昇し、端面図Ｂ１において、再び深さＳの凹溝８ａが形成されている。そして、同様に端面図Ｂ２、Ｂ３に移るに連れて、凹溝の傾斜面８ｂは上昇し、端面図Ａ１において、再び、深さＳの溝８ａに連なっている。
【００１２】
図４（ａ）は、キャップ５の正面図を示した図面である。 図４（ｂ）に示すように、キャップ５の天面９の下面には、３６０°円周方向に凸部１０が形成されている。そして、この凸部１０の時計回りの端面図を図６に示す。図６において、端面図Ｃ１における部位は、高さＳの凸部壁１０ａが形成され、端面図Ｃ２、Ｃ３に移るに連れて、凸部の傾斜面１０ｂは下降し、端面図Ｄ１において、再び高さＳの凸部壁１０ａが形成されている。そして、端面図Ｄ２、Ｄ３に移るに連れて、凸部の傾斜面１０ｂは下降し、端面図Ｃ１において、再び、高さＳの凸部壁１０ａに連なっている。図７は、キャップ５が、中栓体３に嵌合した場合を示している。キャップ５の螺合を強くしても、深さＳの溝８ａに、凸部１０の時計回りの端面図を図６に示す。図６において、端面図Ｃ１における部位は、高さＳの凸部壁１０ａが嵌合している状態を示す拡大断面図である。キャップ５を中栓体３に螺合して締め付けると、図６に示すように凸部壁１０ａが溝８ａに当接する。したがって、キャップ５はそれ以上に、締め付ける方向へ回転することができない。したがって、締め付け過ぎを防止することができる。
【実施例２】
【００１３】
図２は、この発明に係る実施例２を示す図面である。実施例２において、１１は閉鎖膜１６を有するアルミニウム等で造られたチューブ容器であり、このチューブ容器１１の口部１２には、中栓体１３が嵌合されている。この中栓体１３の外周には雄ねじ１４が形成され、この雄ねじ１４に針付キャップ１５が螺合されている。そして、針付キャップ１５の雌ねじを中栓体１３の雄ねじ１４に螺合して締めることにより、中栓体１３の上方に突出した中栓口部内に、キャップ１５の天面１９から垂下された係合突起１７ａが嵌入され、開口部が閉鎖される。内容物を抽出する場合は、キャップ１５と中栓体１３の螺合を外し、キャップ１５の針体１７で、閉鎖膜１６を穿孔することにより内容物を抽出することができる。実施例１と異なる点は、キャップ１５の天面１９が水平に形成されている点である。その他の構成は、実施例１と同様である。さらに、中栓体１３の天面には、３６０°円周方向に凹所１８が形成され、又キャップ１５の天面１９の下面には、３６０°円周方向に凸部２０が形成されている。
【実施例３】
【００１４】
実施例３として、本発明に係る嵌合構造は、中栓体を有しない通常のキャップに適用されてもよい。すなわち、アルミニウム等のチューブ容器の口部に、直接キャップが螺合されるチューブ容器であり、この口部の天面に凹所が形成され、キャップの締付け時に、凹所と嵌合する凸部が、キャップの天面下部に形成されているキャップ締付け防止付チューブ容器である。
【実施例４】
【００１５】
実施例４として、中栓体の天面又は口部の天面の凹所に代えて凸部が形成され、キャップの天面下部の凸部に代えて、凹所が形成されたキャップ締付け防止付チューブ容器であってもよい。すなわち、凹所と凸部が逆に形成された構造のキャップ締付け防止付チューブ容器であってもよい。
【産業上の利用可能性】
【００１６】
本発明の活用例として、特に内容物が固化して変質し、ねじ部に付着することにより、
キャップの戻しトルクが上昇する薬剤、接着剤、食品等を充填するチューブ容器に広く適する。本発明に係るチューブ容器は、子供、女性、老人等が、キャップを回して螺合を解く場合においても、戻しトルク値が小さいので、容易にキャップを外すことができる。
【図面の簡単な説明】
【００１７】
【図１】この発明に係る実施例１を示すキャップ締付け防止チューブ付容器を示す正面断面図。
【図２】この発明に係る実施例２を示すキャップ締付け防止チューブ付容器を示す正面断面図。
【図３】この発明に係る実施例１の中栓体を示す平面図（ａ）及び一部切欠正面図（ｂ）。
【図４】この発明に係る実施例１のキャップを示す一部切欠平面図（ａ）及び底面図。
【図５】この発明に係る図３（ａ）のＡ１〜Ｂ３の拡大端面図。
【図６】この発明に係る図４（ｂ）のＣ１〜Ｄ３の拡大端面図。
【図７】この発明において、凹所と凸部がラチェット形式に嵌合した状態を示す断面図。
【図８】従来のチューブ容器を示す一部切欠き断面図。
【符号の説明】
【００１８】
１  チューブ容器
２  口部
３  中栓体
５  キャップ
８  凹所
１０凸部
９  天面
２１ラチェット形式
の嵌合構造
【図１】
2007015734.tif 000003
【図２】
2007015734.tif 000004
【図３】
2007015734.tif 000005
【図４】
2007015734.tif 000006
【図５】
2007015734.tif 000007
【図６】
2007015734.tif 000008
【図７】
2007015734.tif 000009
【図８】
2007015734.tif 000010